(57)【要約】本発明は、共同でケーシングを形成する前身頃（１）と後身頃（２）とを含み、ケーシングは首用開口部（３）と２つのアームホール（４）と少なくとも１つの底部開口部（５）とを含み、前身頃は上部（１０）と下部（１１）とを含み且つ横方向のスリット状のアクセス用開口部を含み、アクセス用開口部は一方では下部（１１）の上端（１３）及び他方では上部（１０）の下端（１２）により規定され、下部（１１）はタブ（１４）を備え、タブは上部（１０）の内側に固定され且つ乳房を収容する２つの凹部（１９）を分離している女性用衣服であって、タブ（１４）がテーパ状の基本形状を有し且つ円弧状のタブ規定エッジ（１７）によって規定され、タブ規定エッジ（１７）は同様の円弧状の規定エッジ（１８）に繋がり、同様の円弧状の規定エッジ（１８）は下部（１１）の上端を構成し且つ概してタブ規定エッジ（１７）の円弧半径より小さい円弧半径を有する。【選択図】図３
2007510819.tif 000002
【特許請求の範囲】
【請求項１】
共同でケーシングを形成する前身頃（１）と後身頃（２）とを含み、
前記ケーシングは少なくとも４つの開口部、すなわち首用開口部（３）と２つのアームホール（４）と少なくとも１つの底部開口部（５）とを含み、
前記前身頃は上部（１０）と下部（１１）とを含み且つ横方向のスリット状のアクセス用開口部を含み、
前記アクセス用開口部は一方では前記下部（１１）の上端（１３）及び他方では前記上部（１０）の下端（１２）により規定され、
前記下部（１１）はタブ（１４）を備え、
前記タブは前記上部（１０）の内側に固定され且つ乳房を収容する２つの凹部（１９）を分離している女性用衣服であって、
前記タブ（１４）がテーパ状の基本形状を有し且つ円弧状のタブ規定エッジ（１７）によって規定され、
前記タブ規定エッジ（１７）は同様の円弧状の規定エッジ（１８）に繋がり、
前記同様の円弧状の規定エッジ（１８）は前記下部（１１）の上端を構成し且つ概してタブ規定エッジ（１７）の円弧半径より小さい円弧半径を有することを特徴とする
女性用衣服。
【請求項２】
前記タブ（１４）の一端が前記上部（１０）の内側であって、台襟（１６）のすぐ近傍に設けられた固定点（１５）に固定されていることを特徴とする
請求項１に記載の女性用衣服。
【請求項３】
前記上部（１０）が、その下端部で、前記下部（１１）の上端部を覆うように構成されていることを特徴とする
請求項１又は２に記載の女性用衣服。
【発明の詳細な説明】
【技術分野】
【０００１】
本発明は、女性用衣服に関し、特に、共同で身体を包むケーシングを形成する前身頃と後身頃とを含み、ケーシングは少なくとも４つの開口部、すなわち首用開口部と、２つのアームホールと、少なくとも１つの底部開口部とを含み、前身頃は上部と下部とを含み且つ横方向のスリット状のアクセス用開口部を含み、アクセス用開口部は一方では下部の上端及び他方では上部の下端によって規定され、下部はタブを備え、タブは上部の内側に固定され且つ乳房を収容する２つの凹部を分離しているタイプの衣服に関する。
【背景技術】
【０００２】
授乳及び母乳の生成は心理的、生理的、ホルモンによる。そして社会文化的な要因によって影響を受け、これらの要因は個人差が非常に大きいと考えられる。
【０００３】
１つの心理的要因は、人前で乳房を露出することを恥ずかしいと思う女性がいることである。そのため子供がミルクを必要としているにもかかわらず、多くの場面で授乳が避けられる。
【０００４】
生理的な面では、ミルクで重い乳房は敏感な器官であり、好ましくない環境では容易に悪影響受けることがある。例えば、乳房が冷気、風、及び異常な圧力に曝されると泌乳停止がおこる可能性がある。
【０００５】
別の現象であるいわゆる交感漏れも起こり得る。すなわち、一方の乳房で授乳している間、他方の乳房は泌乳すべきではないが、外部圧力に曝されると、交感漏れが起こるのである。なぜなら子供がその乳房を吸っていないにもかかわらず、母乳分泌を制御する極度に繊細なメカニズムで排出反応が起こり得るからである。このような交感漏れは特に女性の衣服を台無しにする。
【０００６】
他の要因としては、往々にして不愉快な経験となるが、授乳中の乳房が子供に曝されているために授乳していない乳房も安定しないという感覚、そして授乳していない乳房から全体的に又は部分的に衣服がはがれると恥ずかしいという感覚が挙げられる。
【０００７】
これらの欠点を克服するために、左右別々に開口部可能なカップを有するブラジャーが開発されている。このようなブラジャーを着用すると、カップを開けて一方の乳房で授乳している間、授乳していない乳房を安定的に保持することができる。カップを開けた後もブラジャーは乳房の周囲を部分的に取り囲むために、このようなブラジャーは授乳中の乳房にも安定感を与える。
【０００８】
特に母乳で子供を育てる女性向けに衣服を作ることは従来から公知であり、このような衣服は授乳を容易にすると同時に身だしなみも整えることを目的としている。
【０００９】
ＳＥ００００５８９−２により、冒頭に述べたタイプの女性の衣服は公知である。このような公知の衣服はセーター又はドレスから構成されてもよく、胸の高さに水平なアクセス用開口部が形成されているために他の衣服とは異なる。
【００１０】
衣服の開口部を規定する２つの部分は身体にぴったり沿っており、弾性材料で形成されている。これはより厳密には胸を暖かく保つためである。
【００１１】
上記のアクセス用開口部はオーバーラップ開口部とも呼ばれ、衣服の前身頃に含まれる上部の下端部が下部の上方部外面を覆うことにより提供される。これに関連して上部の下端及び下部の上端は直線状であり、垂直方向のサイドシーム間に延びている。サイドシームは衣服の前身頃と後身頃とを縫合している。
【００１２】
ＵＳ４５２８６９９によっても、母乳で子供を育てる女性のための衣服が従来から知られている。この衣服は、２つの肩ひもを有する上部と下部とを含み、下部の上端部外面が上部によって覆われている。但しこの場合は、上部ではなく下部を部分的に引いて授乳のために乳房を露出させる。
【発明の開示】
【発明が解決しようとする課題】
【００１３】
ＳＥ００００５８９−２に記載の衣服自体は、アクセス用開口部のない従来の衣服に比べて乳房の取り出しと露出を容易にするが、このことは複数の欠点にも関連する。
【００１４】
１つの明らかな欠点は、衣服自体が乳房の安定性に貢献しないことである。そのため目的に適したいわゆる授乳ブラなしでこの衣服を着用した場合、特に胸の大きな女性は授乳しない乳房が安定性を欠くと感じる可能性がある。
【００１５】
さらに公知の衣服は、胸を暖かく保つために前身頃の上部及び下部が弾性材料で形成されることを必要とする。しかし多くの場合、衣服は非弾性材料、例えば夏用の衣服であれば綿で作製することが望まれる。さらに授乳用の開口部から冷たい空気が入り込むことが考えられる。交感漏れも起こり得る。
【００１６】
本発明の目的は、従来の衣服の上記欠点を克服し、母乳で子供を育てる女性のための改善された衣服を提供することである。したがって本発明の主要な目的は、ブラジャーを着用するか否かにかかわらず、授乳時に他方の乳房に安定感を与える衣服を提供することである。
【００１７】
さらなる目的は、乳房間の領域に冷たい空気が入ることを阻止し、これにより泌乳停止を阻止する衣服を提供することである。授乳する乳房にある種の安定感を与えるデザインの衣服を提供することも本発明の目的である。
【００１８】
さらに、衣服は容易に快適に着用することができなければならない。本発明のさらなる目的は、最も動きやすく且つ非弾性の布地又はテキスタイルにより作製することができる衣服を提供することである。
【００１９】
さらに衣服は多くの異なる形態、例えば、セーター、ブラウス、ドレス、スーツのジャケット、オーバーオール、水着などで実現することができなければならない。
【課題を解決するための手段】
【００２０】
本発明によると、少なくとも主要な目的は、請求項１に規定された特徴により達成される。本発明の好適な実施形態はさらに従属請求項に規定されている。
【発明を実施するための最良の形態】
【００２１】
図面に示す衣服はセーターとして実現されており、概して参照符号１で示す前身頃と後身頃２とを含む。前身頃１と後身頃２とは共同で女性の上半身を囲む身頃又はケーシングを形成する。このケーシングは４つの開口部、すなわち首用開口部３と２つのアームホール４と底部開口部５とを含む。
【００２２】
本実施例では、衣服は、別々の前身頃１と後身頃２とが長手方向のサイドシーム６とショルダーシーム７とに沿って縫い合わされることによって作製される。ショルダーシーム７の傍らには別々の袖８がスリーブシームに沿って縫いつけられる。しかし本発明はこの製造方法に限定されない。従って例えば袖８はなくてもよい。さらに衣服は、身体を包むケーシングを形成する限り、針仕事を必要としない前身頃と後身頃とによって製造されてもよい。
【００２３】
図６〜図８に衣服の前身頃１のみを、より詳しくは袖８のない前身頃を示す。
【００２４】
ＳＥ００００５８９−２による衣服と同様、前身頃は上部１０と下部１１とを含む。上部１０の下端は参照符号１２で示され、下部１１の上端は概して参照符号１３で示されている。ＳＥ００００５８９−２による衣服の対応する上部及び下部では、上部の下端のみならず下部の上端も直線状であり且つ互いに平行であり、上部の下方部は、衣服のサイドシームによって下部の上端部外面に押しつけられていた。
【００２５】
図６は、前身頃１の裏側又は内側を示している。これは下部の内側が影付けされていることにより表されている。
【００２６】
ＳＥ００００５８９−２の衣服とは対照的に、本発明の衣服は参照符号１４で示すタブを含む。タブ１４は上部１０の内側、より厳密には参照符号１５で示す位置に固定されている。固定位置１５を台襟１６よりも下方に配置することはそれ自体可能であるが、図６に示すように台襟１６に近い位置に配置することが最も好ましい。
【００２７】
図７は、タブ１４の形状が固定位置１５から自由端に向かってテーパ状になっている、より詳細には２つの円弧状エッジ１７により規定されていることを示す。規定エッジ１７は底部ではさらに２つの円弧状規定エッジ１８に変形し、繋がっている。後者の規定エッジ１８の半径は規定エッジ１７の半径より小さい。これにより緩い曲線による２つの丸い凹部１９が形成される。これは女性の乳房の形状に適切に沿う。
【００２８】
図６において、Ｌは上部１０の下端１２の高さを示す基準線を指す。基準線Ｌと台襟１６との間の垂直方向距離をＡ１とする。基準線Ｌと下部の上端（１３）の間の距離をＡ２とする。下部の上端は円弧状の凹部の底部に合致する。具体的には、距離Ａ２は２〜１０ｃｍの範囲内、好ましくは３〜８ｃｍの範囲内にあるべきである。距離Ａ１自体は衣服のサイズに依存して変化するが、Ａ１／Ａ２の関係は２〜４：１の範囲内、好ましくは約３：１であるべきである。
【００２９】
上記タブの存在により、授乳中のユーザの授乳していない乳房が、特に別にブラジャーを着用してない場合も安定することが保証される。
【００３０】
所望の乳房は図３に概して示すように、上部１０の半分を単に少し引き上げることによって露出することができる。引き上げた後、乳房間の肌はタブ１４によって覆われる。タブの上端が台襟１６に隣接して固定されているために、特に衣服の引き上げられていない部分が身体にきっちりと沿っている。
【００３１】
本発明による衣服は、ＳＥ００００５８９−２による衣服に比べて、下部の上端をある程度胸の前まで引き上げることができ、タブが乳房をサポートし且つ持ち上げるため、サポートが向上している。
【００３２】
乳房は、授乳していない乳房の下にある上部の下端からもサポートを受ける。これは、上部が授乳する乳房の前面に沿って引き上げられることによる。
【００３３】
本発明による衣服の大きな利点は、胸部が乳房の下端に沿ってある程度持ち上げられることである。授乳する乳房を上部の下端から出したい場合に、この持ち上げが授乳しない乳房に対して行われる。
【００３４】
本発明による衣服の別の重要な利点は、公知の衣服のように乳房に異常な圧力をかけることがないことである。ＵＳ４５２８６９９の場合、下部の上端が授乳する乳房の下端まで引き下げられなければならない。これにより下部の上端が授乳しない乳房に圧力を与える。授乳しない乳房を覆って暖かく保つ必要がある限り、下部の上端が授乳する乳房の下まで引き下げられ、授乳しない乳房の乳腺を押しつける。これは泌乳停止を引き起こす可能性がある。
【００３５】
請求の範囲によってのみ特定される本発明の範囲内で衣服の形状及びファッション面でのデザインの改変が可能であることは言うまでもない。
【図面の簡単な説明】
【００３６】
【図１】図１は、本発明による衣服の、前斜上から見た斜視図である。
【図２】図２は、本発明による衣服の、後斜下から見た斜視図である。
【図３】図３は、衣服の上部が乳房を露出するために部分的に引き上げられた状態を示す、図１に対応する斜視図である。
【図４】図４は、衣服を広げて平らにした状態を示す前面図である。
【図５】図５は、衣服を広げて平らにした状態を示す背面図である。
【図６】図６は、衣服の前身頃の内側を示す平面図である。
【図７】図７は、図６に示す前身頃の下部を示す平面図である。
【図８】図８は、図７に示す下部と同じ状態の、上部の平面図である。
【図１】
2007510819.tif 000003
【図２】
2007510819.tif 000004
【図３】
2007510819.tif 000005
【図４】
2007510819.tif 000006
【図５】
2007510819.tif 000007
【図６】
2007510819.tif 000008
【図７】
2007510819.tif 000009
【図８】
2007510819.tif 000010
【国際調査報告】
2007510819.tif 000011
2007510819.tif 000012
2007510819.tif 000013